(57)【要約】      （修正有）【課題】雨水と一緒に流れてきた落葉等の桝蓋外周縁近傍の堆積を防止し、安定した排水性能を発揮できるコンクリート製側溝を提供する。【解決手段】上面に閉口部４ｂと開口部４ａとを有するコンクリート製側溝５と、コンクリート製側溝の開口部を覆う排水蓋６とから構成され、コンクリート製側溝の閉口部の幅方向中央部には長手方向に沿った集水溝８と、コンクリート製側溝の開口部の幅方向中央部には集水溝に繋がる集水穴９とを設け、コンクリート製側溝の閉口部には雨水を集水溝に導くための幅方向中央部に向かう傾斜を設け、排水蓋には、幅方向中央部から両端部に概略４５度方向の連続した第一の排水孔１０と幅方向中央部に長手方向に沿った第二の排水孔１１とを設ける。【選択図】図１
0003218559.tif 000002
【実用新案登録請求の範囲】
【請求項１】
上面に閉口部と開口部とを有するコンクリート製側溝と、前記コンクリート製側溝の開口部を覆う排水蓋とから構成され、
前記コンクリート製側溝の閉口部の幅方向中央部には長手方向に沿った集水溝と、前記コンクリート製側溝の開口部の幅方向中央部には当該集水溝に繋がる集水穴とを設け、前記コンクリート製側溝の閉口部には幅方向中央部に向かう傾斜を設け、
前記排水蓋には、幅方向中央部から両端部に概略４５度方向の連続した第一の排水孔と幅方向中央部に長手方向に沿った第二の排水孔とを設けることを特徴とする、排水蓋を有するコンクリート製側溝。
【請求項２】
前記排水蓋の第一の排水孔と第二の排水孔とは、表面から裏面に向かって広がる形状を有し、前記コンクリート製側溝の閉口部上面と前記排水蓋の表面とにスリップ防止の凸部を設けることを特徴とする請求項１に記載の排水蓋を有するコンクリート製側溝。
【考案の詳細な説明】
【技術分野】
【０００１】  本考案は道路等に設置する排水蓋を有するコンクリート製側溝に関するものである。
【背景技術】
【０００２】  従来の側溝用蓋並びにコンクリート製側溝について、従来の集水蓋に示すように蓋の長手方向に対して鋼材が平行に組み立てられていた。即ち、道路の路肩に連続して設置され、あるいは、道路を横断して設置されるコンクリート製側溝蓋がある。具体的には、従来の集水蓋で示すように、蓋はコンクリート製側溝本体の開口を覆う蓋であり、道路に降雨する雨水等の排水は、蓋のグレーチング部分からコンクリート側溝内部に集水していた（特許文献１）。【０００３】  また、車道部と歩道部との境界に沿って設置される雨水桝蓋において、当該雨水桝蓋の外周縁で区画される領域を、設置時に歩道部側に位置する第一領域と車道部側に位置する第二領域とに区画し、第一領域の歩道部側端部に位置する外周縁に、道路の進行方向に沿って開口する第一流入口を設けるとともに、第一領域において第一流入口よりも車道部側に、道路の進行方向と直交する幅方向に並列する複数の第二流入口を設けており、第二流入口は、第一領域１１の中央域及び／又は下流域に限定して設けられている（特許文献２、特許文献３）。
【先行技術文献】
【特許文献】
【０００４】
【特許文献１】特開２００６−２４９７９８号公報
【特許文献２】特開２０１３−２５３４５０号公報
【特許文献３】特開２０１４−１２５７４２号公報
【考案の概要】
【考案が解決しようとする課題】
【０００５】  前述の従来技術（特許文献１）のグレーチングにおいて、雨水と一緒に落葉等が大量に流れてきた場合、雨水が雨水桝蓋の外周縁近傍にある流入口から集中的に流入することから、勢いを失った落葉等がその外周縁近傍に堆積し、更にそれが堰となって雨水桝蓋への流入が阻害され、結果として、雨水が溜まり、越流又は冠水するおそれがあるという課題があった。【０００６】  又、前述の従来技術（特許文献２、特許文献３）においては、蓋のみでの集水であったため、蓋の外周縁近傍についても排水性を高める必要があった。
【課題を解決するための手段】
【０００７】  本考案の第一の実施態様は、上面に閉口部と開口部とを有するコンクリート製側溝と、コンクリート製側溝の開口部を覆う排水蓋とから構成され、コンクリート製側溝の閉口部の幅方向中央部には長手方向に沿った集水溝と、コンクリート製側溝の開口部の幅方向中央部には当該集水溝に繋がる集水穴とを設け、コンクリート製側溝の閉口部には幅方向中央部に向かう傾斜を設け、排水蓋には、幅方向中央部から両端部に概略４５度方向の連続した第一の排水孔と幅方向中央部に長手方向に沿った第二の排水孔とを設けることを特徴とする、排水蓋を有するコンクリート製側溝である。【０００８】  本考案の第二の実施態様は、前記第一の実施態様において、排水蓋の第一の排水孔と第二の排水孔とは、表面から裏面に向かって広がる形状を有し、コンクリート製側溝の閉口部上面と前記排水蓋の表面とにスリップ防止の凸部を設けることを特徴とする、排水蓋を有するコンクリート製側溝である。
【考案の効果】
【０００９】  本考案によって、次の効果が得られる。
即ち、本考案の第一の実施態様において、コンクリート製側溝の閉口部の幅方向中央部には長手方向に沿った集水溝と、コンクリート製側溝の閉口部には幅方向中央部に向かう傾斜を設けることにより、当該コンクリート製側溝の閉口部上面に流入する雨水は、設けられた傾斜により、集水溝に導かれ、集水溝の中を流れていくことができる。【００１０】  また、コンクリート製側溝の開口部の幅方向中央部には当該集水溝に繋がる集水穴を設けることにより、集水溝の中を流れてきた雨水は、集水穴から、側溝内に落水させることができる。【００１１】  一方、排水蓋には、幅方向中央部から両端部に概略４５度方向の連続した第一の排水孔を設けることにより、当該排水蓋に流れ込む雨水は、雨水の流入方向に平行の方が越流せずに集水しやすいので、変化する雨水の流入方向に対して、当該角度の向きが異なる第一の排水孔に向けて安定した排水性能を発揮することができる。【００１２】  併せて、雨水と共に流れてくる落ち葉を排水蓋外周付近に集中させることなく、付着・堆積することを防ぐので、雨水を当該角度の向きが異なる第一の排水孔に効率的に導くことができる。【００１３】  また、当該排水蓋の第一の排水孔の上面を、自転車などが直進走行しても、概略４５度の角度を有しているので、当該第一の排水孔に挟まれることもなく安全に走行することができる。【００１４】  さらに、排水蓋には、幅方向中央部に長手方向に沿った第二の排水孔を設けることにより、集水溝の中を流れてきた雨水で、集水穴から、側溝内に落水し切れなかった雨水を、第二の排水孔から側溝内に落水させることができる。【００１５】  本考案の第二の実施態様において、排水蓋の第一の排水孔と第二の排水孔とは、表面から裏面に向かって広がる形状を有するので、小石等の目詰まりを防止し、落水力の低下を防ぐことができる。【００１６】  また、コンクリート製側溝の閉口部上面と排水蓋の表面とにスリップ防止の凸部を設けることにより、雨、雪等で側溝用蓋の表面が濡れている場合にも歩行者や自転車等の転倒を軽減することができる。
【図面の簡単な説明】
【００１７】
【図１】本考案の実施例の平面図である。
【図２】図１のａ−ａ側からの断面図である。
【図３】本考案の実施例の前側断面図である。
【図４】本考案の実施例の後側断面図である。
【図５】従来の排水蓋の構造図である。
【図６】本考案の排水孔下部が広がった例の形状図である。
【図７】本考案における集水状態例を示す平面図である
【図８】従来の集水口の平面図である。
【図９】本考案の実施例図である。
【考案を実施するための形態】
【００１８】  以下、図面に従って本考案の実施の形態の一例を説明する。
【００１９】  図１乃至図２において、排水蓋を有するコンクリート製側溝５には、上面に閉口部４ｂと開口部４ａとを有するコンクリート製側溝５と、コンクリート製側溝５の開口部４ａを覆う排水蓋６とから構成され、コンクリート製側溝５の閉口部４ｂの幅方向Ｂ中央部には長手方向Ａに沿った集水溝８と、コンクリート製側溝５の開口部４ａの幅方向Ｂ中央部には当該集水溝に繋がる集水穴９とを設ける。
【００２０】  図１、図３乃至図４において、コンクリート製側溝の閉口部４ｂには幅方向Ｂ中央部に向かう傾斜２を設け、排水蓋には、幅方向Ｂ中央部から両端部に概略４５度方向の連続した第一の排水孔１０と幅方向Ｂ中央部に長手方向Ａに沿った第二の排水孔１１とを設ける。
【００２１】  図３乃至図４、図７において、コンクリート製側溝の閉口部４ｂの幅方向Ｂ中央部には長手方向Ａに沿った集水溝８と、コンクリート製側溝の閉口部４ｂには幅方向Ｂ中央部に向かう傾斜２を設けることにより、コンクリート製側溝の閉口部４ｂ上面に流入する雨水は、設けられた傾斜２により、集水溝８に導かれ、集水穴９の中を流れていくことができる。
【００２２】  図１乃至図２、図７において、コンクリート製側溝５の開口部４ａの幅方向Ｂ中央部には当該集水溝８に繋がる集水穴９を設けることにより、集水溝８の中を流れてきた雨水は、集水穴９から、側溝内１に落水させることができる。
【００２３】  図１乃至図２、図７において、排水蓋６には、幅方向Ｂ中央部から両端部に概略４５度方向の連続した第一の排水孔１０を設けることにより、排水蓋に流れ込む雨水は、雨水の流入方向に平行の方が越流せずに集水しやすいので、変化する雨水の流入方向に対して、当該角度の向きが異なる第一の排水孔１０に向けて安定した排水性能を発揮することができる。
【００２４】  併せて、雨水と共に流れてくる落ち葉を排水蓋６外周付近に集中させることなく、付着・堆積することを防ぐので、雨水を当該角度の向きが異なる第一の排水孔１０に効率的に導くことができる。
【００２５】  図１、図９において、排水蓋６の第一の排水孔１０の上面を、自転車などが直進走行しても、概略４５度の角度を有しているので、第一の排水孔１０に挟まれることもなく安全に走行することができる。併せて、第一の排水孔１０及び第二の排水口１１のスリット幅を自転車のタイヤ幅より狭くすることにより、タイヤのはまり込みによる転倒のリスクを低減することができる。
【００２６】  図１乃至図２、図７において、排水蓋６には、幅方向Ｂ中央部に長手方向Ａに沿った第二の排水孔１１を設けることにより、集水溝８の中を流れてきた雨水で、集水穴９から、側溝内１に落水し切れなかった雨水を、第二の排水孔１１から側溝内１に落水させることができる。
【００２７】  図６、図１乃至図４において、排水蓋６を有するコンクリート製側溝５の、排水蓋６の第一の排水孔１０と第二の排水孔１１とは、表面から裏面に向かって広がる形状を有し、コンクリート製側溝５の閉口部４ｂ上面と排水蓋６の表面とにスリップ防止の凸部３を設ける。
【００２８】  図６において、排水蓋６の第一の排水孔１０と第二の排水孔１１とは、表面から裏面に向かって広がる形状を有するので、小石等の目詰まりを防止し、落水力の低下を防ぐことができる。
【００２９】  図１乃至図４において、コンクリート製側溝５の閉口部４ｂ上面と排水蓋６の表面とにスリップ防止の凸部３を設けることにより、雨、雪等で側溝用蓋の表面が濡れている場合にも歩行者や自転車等の転倒を軽減することができる。
【符号の説明】
【００３０】  １    側溝内
２    傾斜
３    凸部
４ａ  開口部
４ｂ  閉口部
５    コンクリート製側溝
６    排水蓋
８    集水溝
９    集水穴
１０    第一の排水孔
１１    第二の排水孔
１２    従来集水蓋
Ａ      長手方向
Ｂ      幅方向
【図１】
0003218559.tif 000003
【図２】
0003218559.tif 000004
【図３】
0003218559.tif 000005
【図４】
0003218559.tif 000006
【図５】
0003218559.tif 000007
【図６】
0003218559.tif 000008
【図７】
0003218559.tif 000009
【図８】
0003218559.tif 000010
【図９】
0003218559.tif 000011